(57)【要約】      （修正有）【課題】製品使用済みエアゾール容器中の残留ガスの排出時、有害な霧が顔にかかったり、目に入ったりするなどの事故を無くし、取り扱いが容易でデザイン性に優れた残留ガス除去用安全キー付エアゾール容器のキャップを提供する。【解決手段】エアゾール容器のキャップ本体にボタンカップ１０を内蔵させ、このボタンカップ１０をエアゾール容器本体２０側にのみ押し下げ可能とし、さらにこのボタンカップ１０に押し下げ可能位置と押し下げ不可能位置を選択できるようにし、残留ガスの排出時以外はボタンカップ１０に押し下げ方向に仮令押圧があってもボタンカップ１０は不動となる構成とした。【選択図】図４
0003133993.tif 000002
【実用新案登録請求の範囲】
【請求項１】
エアゾール容器本体２０の上部に脱着可能に係合可能なキャップ本体１において、キャップ本体１とボタンカップ１０とからなり、キャップ本体１の天板１８の中央にボタンカップ１０を収容する空間を設けるための天面開口部５を設け、この天面開口部５の周辺に、ボタンカップ１０を収容するための数分割されたガイド壁体３を垂下させて設け、このガイド壁体３の下端内側にガイド壁内側凸起４を設け、ボタンカップ１０は前記キャップ本体１に設けられた天面開口部５に収容できる大きさの有底筒体のカップで、底をカップ天板１５として用い、このカップ天板１５の内面中央部に凸起体１６を設け、ボタンカップ１０のカップ側壁１１にはカップ側壁外側凸起１２を数段に渡って設け、このカップ側壁１１を数分割するカップ側壁切欠部２８を数ヶ所に設け、このボタンカップ１０のカップ天板１５の側部に、キャップ本体１のガイド壁体３の頂部にあたる天面開口部５の内側の位置に設けた周状レール部６におさまる大きさのカップ天板凸起片１９を設け、前記ボタンカップ１０のカップ天板１５を上にして筒部分からキャップ本体１の天面開口部５に入れてボタンカップ１０のカップ側壁下端１３を、キャップ本体１に設けられたガイド壁体３のガイド壁内側凸起４の上にくるように差し込み、キャップ本体１の周状レール部６の上にある、ボタンカップ１０のカップ天板１５から突出しているカップ天板凸起片１９を、ガイド壁体３に設けられたガイド壁切欠部７と重なる位置を避けてセットし、この状態からカップ天板１５の上面を押圧し、外側凸起最下段の溝１４とガイド壁内側凸起４を嵌合し、保管時の状態を保ち、エアゾール容器の残留ガスを除去するときは前記カップ天板凸起片１９を前記ガイド壁切欠部７と重なる位置にセットし、この状態からカップ天板１５の上面を押圧し、最下段の溝から、下から２番目の溝、下から３段目の溝といった具合に、キャップ本体１に設けられたガイド壁体３のガイド壁内側凸起４に、ボタンカップ１０のカップ側壁外側凸起１２の嵌合位置を換えることによって、カップ天板１５の凸起体１６がエアゾール容器のボタン２５やバルブコア２７を押しバルブコア２７を下げ続けてエアゾール容器中の残留ガスを確実に抜けるようにした残留ガス除去用安全キー付エアゾール容器のキャップ。
【考案の詳細な説明】
【技術分野】
【０００１】  この考案はエアゾール容器における内容残物の排出装置に関するものである。より詳しくは、製品使用後のエアゾール容器における残留ガス除去用安全キー付エアゾール容器のキャップに関するものである。
【背景技術】
【０００２】  従来、エアゾール製品使用後の内容残物である噴射剤、いわゆる残留ガスの排出装置に関しては、使用済み後のエアゾール容器本体に直接開孔して、内容残物を排出しようとするもの、即ち、穴開け用ピンを飛散防止用スポンジと共に予備装着したものや、缶切り又は缶穴空け器具の小型のものを缶底に仮付けしたもの等を、エアゾール容器外部に開孔治具として予備装着し、使用済みのエアゾール容器本体に直接開孔して、残留ガスを排出しようとするものである。また、キャップ本体を逆さまの状態にして使用済みエアゾール容器本体に取り付け、キャップで直接的、又は間接的にバルブコアを押さえ付けることによって、使用済み後のエアゾール容器本体にバルブを通して、内容残物を排出しようとするもの、即ちキャップ本体の中心にバルブコアの嵌合部と貫通穴を設け、キャップ本体を逆さまの状態にしてバルブ又はエアゾール容器本体に取り付けられるようにした形状とし、該キャップ本体を逆さまにして使用済み後のエアゾール容器本体に取り付けた時、該キャップ本体がバルブのバルブコアを押し下げ、バルブを解放状態に保つようにしたものもある。さらにまた特開平０７−３３００４８の様にキャップ本体の側面一部を切り取ってキャップ本体天井壁面に張り付けその切片によってアクチュエーターボタンを押さえ付け、バルブを解放状態で保つようにし、バルブを通してエアゾール容器本体の内部を開放し内容残物を排出しようとしたものがあった。
【特許文献１】  特開平０７−３３００４８
【非特許文献１】  なし
【考案の開示】
【考案が解決しようとする課題】
【０００３】  開孔治具を予備装着し、使用済みのエアゾール容器本体２０に直接開孔し内容残物を排出しようとするものは開孔中、万が一内容物残液のあるままでガスの放出作業を行うとき、開孔の仕方によっては瞬時大量の内容残液が噴出するので、飛び散った内容物が身体にかかったり目に入る危険性は勿論の事、回収作業中、その噴射物の直接の帯電や、周囲の静電気や火花等によって引火爆発を起こす危険性がある。実際、幾つかの事故が起こったために、危険性の面から最近は実施されなくなって来た。即ち従来は「使用後は穴を開けてからお捨て下さい」であった容器外面への注意表示も、最近では、「使い切って捨てること」の他「火気のない戸外で噴射音が消えるまでボタンを押し、ガスを抜いて下さい」などに書き変えられるようになった。【０００４】  キャップ本体を逆さまの状態にして使用済みエアゾール容器本体に取り付け、キャップで直接的、又は間接的にバルブコアを押さえ付けることによって、使用済み後のエアゾール容器本体に、バルブを通じて内容残物を排出しようとするものは、その殆どが実施時、バルブコアよりボタンを取り去ることが必要条件となっている。当然の事ながら、キャップ本体自体については現状（通常使用時）のキャップをそのまま逆さまにしてエアゾール容器本体に再度装着すればバルブのバルブコアが押さえ付けられる事となり、バルブが解放状態に保たれるようにしたものであったが、これらキャップ本体を逆さまに付け替えるタイプの物は、キャップ本体を逆さまにした時に、バルブ又はエアゾール容器本体にキャップ本体が嵌合装着できる構造としなければならないので、例えばキャップ本体外面にはバルブと嵌合する窪みを設ける必要がある等、デザイン上に避けられない制限があった。又、その窪みの深さの関係上、該ガス抜き用キャップ本体をエアゾール容器本体に嵌合装着しようとする時は、エアゾール容器本体よりボタンを取りはずした後でなくては、ガス抜き用キャップ本体を取り付けられないものが多く、そのため、エアゾール容器本体よりボタンを外そうとする時に、内容残液量が多かった時などには、有害な霧が顔にかかったり目に入ったりするなどの危険性が生じた。【０００５】  同様に、キャップ本体を逆さまにして用いるタイプのガス抜き用キャップ本体は、成型構造上貫通孔は上下方向に加工仕上げする場合が殆どであるために、排出ガスが噴口より噴出する際、残留ガスが直接上側に放出される場合が多く、有害な霧が顔にかかったり、目に入ったりするなどの事故が起こる可能性も多かった。横向きに噴出するように形成するのは不可能では無いが、型が複雑となるため型代が高くつき、当然製造コストも上昇し消費者に負担がかかる。これを避けるためにキャップ本体内にティッシュを丸めて詰める事を消費者に勧め内容残液飛び散りを止めようとする物もあるが、廃棄物として紙（ティッシュペーパー）がもう一つ加わる事となり金属、プラスチック、紙と少なくとも三つの異なる種類の廃棄物を捨てる事となるので、分別廃棄をより難しくすることとなる。【０００６】  特開平０７−３３００４８の場合に至っては、キャップ本体の側面一部を切り取って、それをキャップ本体天井壁に張り付けなければならず、その���業が難しく、慣れないと上手くできない上、失敗すると有害な霧が顔にかかったり、目に入ったりするなどの危険性が生じる。【０００７】  そこで本考案はこれらの欠点のない残留ガス除去用安全キー付エアゾール容器のキャップを提供することを目的とする。
【課題を解決するための手段】
【０００８】  そこで本考案は上記のような現状にある問題点を解決するために種々の研究を重ねて次の考案を完成した。
エアゾール容器本体２０の上部に脱着可能に係合可能なキャップ本体１において、キャップ本体１とボタンカップ１０とからなり、キャップ本体１の天板１８の中央にボタンカップ１０を収容する空間を設けるための天面開口部５を設け、この天面開口部５の周辺に、ボタンカップ１０を収容するための数分割されたガイド壁体３を垂下させて設け、このガイド壁体３の下端内側に断面が下向きに傾斜した刃型のガイド壁内側凸起４を設け、ボタンカップ１０は前記キャップ本体１に設けられた天面開口部５に収容できる大きさの有底筒体のカップで、底をカップ天板１５として用い、このカップ天板１５の内面中央部に凸起体１６を設け、ボタンカップ１０のカップ側壁１１には断面が上向きに傾斜した刃型のカップ側壁外側凸起１２を数段に渡って設け、このカップ側壁１１を数分割するカップ側壁切欠部２８を数ヶ所に設け、このボタンカップ１０のカップ天板１５の側部に、キャップ本体１のガイド壁体３の頂部にあたる天面開口部５の内側の位置に設けた周状レール部６におさまる大きさのカップ天板凸起片１９を設け、前記ボタンカップ１０のカップ天板１５を上にして筒部分からキャップ本体１の天面開口部５に入れてボタンカップ１０のカップ側壁下端１３を、キャップ本体１に設けられたガイド壁体３のガイド壁内側凸起４の上にくるように差し込み、キャップ本体１の周状レール部６の上にある、ボタンカップ１０のカップ天板１５から突出しているカップ天板凸起片１９を、ガイド壁体３に設けられたガイド壁切欠部７と重なる位置を避けてセットし、この状態からカップ天板１５の上面を押圧し、外側凸起最下段の溝１４とガイド壁内側凸起４を嵌合し、保管時の状態を保ち、エアゾール容器の残留ガスを除去するときは前記カップ天板凸起片１９を前記ガイド壁切欠部７と重なる位置にセットし、この状態からカップ天板１５の上面を押圧し、最下段の溝から、下から２番目の溝、下から３段目の溝といった具合に、キャップ本体１に設けられたガイド壁体３のガイド壁内側凸起４に、ボタンカップ１０のカップ側壁外側凸起１２の嵌合位置を換えることによって、カップ天板１５の凸起体１６がエアゾール容器のボタン２５やバルブコア２７を押しバルブコア２７を下げ続けてエアゾール容器中の残留ガスを確実に抜けるようにした残留ガス除去用安全キー付エアゾール容器のキャップ。
【考案の効果】
【０００９】  ボタンカップ１０は断面が下向きに傾斜した刃型のガイド壁内側凸起４によって押し下げ方向の一方にしか動かないので、安全、確実にバルブ２４を開放でき、ボタンカップ１０はカップ天板１５に設けたカップ天板凸起片１９が安全キーの役割をし、安全キーを開放位置、即ちカップ天板凸起片１９をガイド壁体のガイド壁切欠部７の位置に合わせるようにセットしない限り、ボタンカップ１０は押し下げが不可であり、誤ってバルブ２４を開放する心配がない。ボタンカップ１０はキャップ本体１の内側に内蔵されるためキャップ本体１はシンプルな外観を保持でき、エアゾール容器も正立状態のままでガス抜きでき、使い勝手がよい、エアゾール容器中の残留ガス排出時も一旦キャップ本体１内に排出されるので、有害な霧が顔にかかったり、目に入ったりする事故がないといった取り扱い容易でデザイン性に優れた残留ガス除去用安全キー付きエアゾール容器のキャップを提供できる。
【考案を実施するための最良の形態】
【００１０】  図１は本考案の残留ガス除去用安全キー付きエアゾールのキャップの実施例を示す外観斜視図であり、図２は図１に示す実施例の残留ガス除去用安全キー付きエアゾール容器の裏面図、図３、図４は図１の実施例である残留ガス除去用安全キー付きエアゾール容器のキャップをエアゾール容器本体２０に装着し図１に示すＸ−Ｘで切断し、矢印方向から見た態様を示す一部縦断面である。
以下図１〜図１６までを通して共通する符号について、１はキャップ本体、２はキャップ本体の側壁、３はガイド壁体、４はガイド壁内側凸起、５は天面開口部、６は周状レール部、７はガイド壁切欠部、８は容器内嵌合用筒壁、９は容器嵌合用凸起、１０はボタンカップ、１１はカップ側壁、１２はカップ側壁外側凸起、１３はカップ側壁下端、１４は外側凸起最下段の溝、１５はカップ天板、１６は凸起体、１７はガス抜き溝、１８はキャップ本体の天板、１９はカップ天板凸起片、２０はエアゾール容器本体、２１は容器巻き締め下部、２２はバルブマウンテン下部、２３は容器凹部、２４はバルブ、２５はボタン、２６はボタン噴口、２７はバルブコア、２８はカップ側壁切欠部を示す。【００１１】なお、図３は本考案の「残留ガス除去用安全キー付きエアゾールのキャップ」をエアゾール容器本体２０に装着した通常保管時の状態を示す。すなわちボタンカップ１０は、ボタンカップ１０のカップ天板１５から突出しているカップ天板凸起片１９がキャップ本体１のガイド壁体３に設けられたガイド壁切欠部７と重なる位置を避けセットされているので、ボタンカップ１０のカップ天板凸起片１９はキャップ本体１のガイド壁体３の上の周状レール部６に乗っていて、ボタンカップ１０のカップ天板１５の上面を押圧しても下へは降りず、キーロックされた状態を保持する。図４はボタンカップ１０を回転させた後、ボタンカップ１０が押し下げられ、本考案の「残留ガス除去用安全キー付きエアゾール容器のキャップ」をエアゾール容器本体２０に装着した残留ガス除去時の状態を示す。即ちボタンカップ１０は、ボタンカップ１０のカップ天板１５から突出しているカップ天板凸起片１９がキャップ本体１のガイド壁体３に設けられたガイド壁切欠部７と重なる位置にセットされているので、ボタンカップ１０のカップ天板１５の上面を押圧すれば、下降し、カップ天板１５の凸起体１６でバルブ２４を押し下げ、この状態を保持する。この時、ボタンカップ１０にある断面が上向きに傾斜した刃型のカップ側壁外側凸起１２がガイド壁内側凸起４と噛み合い、断面が下向きに傾斜した刃型のガイド壁内側凸起４が、ボタンカップ１０を一方向しか移動することを許さない為、ボタンカップ１０の上方への動きを封じる、指をボタンカップ１０から離しても、ボタンカップ１０は元の位置に戻ることはなく、ボタン２５を押し下げたままの状態を保つ。【００１２】図５、図６は本考案の理解を容易にするために図示したものであり、図５は図１〜図４で示しているキャップ本体１のみの外観斜視図、図６は図１〜図４で示している実施例に用いたボタンカップ１０のみの外観斜視図である。【００１３】  本考案を実施するにあたり、当然の事ながらエアゾール容器本体２０の形状によって、エアゾール容器本体２０とキャップ本体１との係合位置が変わる場合が生じる。図７〜図１１は、その第１の例として、キャップ本体１と係合する位置、即ち嵌合する位置がバルブマウンテン下部２２である場合の例を示した実施例である。図７は図７〜図１１に示す本考案の残留ガス除去用安全キー付きエアゾールのキャップの実施例を示す外観斜視図であり、図８は図７に示す実施例の残留ガス除去用安全キー付きエア���ール容器の裏面図、図９、図１０は図７の実施例である残留ガス除去用安全キー付きエアゾール容器のキャップをエアゾール容器本体２０に装着しＹ−Ｙで切断し、矢印方向から見た態様を示す一部縦断面である。なお、ボタンカップ１０のカップ天板凸起片１９の数が図１〜図４の実施例の場合と異なるのは、図面上、単にボタンカップ１０の直径が小さくなるために４つあったカップ天板凸起片１９を３つに変えて図示したものである。参考のため図１１に図７に用いたボタンカップ１０の外観斜視図を示した。【００１４】  図１２はエアゾール容器本体２０の形状によって、エアゾール容器本体２０とキャップ本体１との係合位置が変わる場合の第２の例を示す例であり、キャップ本体１と係合する位置、即ち嵌合する位置が容器の上部にある容器凹部２３である場合の例を示した実施例である。図７〜図１２は本考案の実施例を示すもので、図１〜図６と相違するところはエアゾール容器のキャップをエアゾール容器本体２０に取着する手段が異なるだけで、基本的な事項は変わらない。即ち図１〜図６の場合はエアゾール容器のキャップ本体１の側壁２の下部に設けた容器嵌合用凸起９がエアゾール容器本体２０の容器巻き締め下部２１に直接嵌合取着するのに対し、図７〜図１２の場合はエアゾール容器本体２０のキャップ本体１の側壁２はエアゾール容器本体２０に容器巻き締め下部２１が無いため取着せず、キャップ本体の天板１８から垂下する容器内嵌合用筒壁８の容器嵌合用凸起９がエアゾール容器本体２０のバルブマウンテン下部２２や容器凹部２３と取着する構造となっている。【００１５】  図１３はカップ天板１５の内面中央部の凸起体１６を長くした本考案の残留ガス除去用安全キー付エアゾール容器のキャップの実施例を示すもので、ボタンカップ１０のカップ天板１５の内面中央部に設けた長くした凸起体１６でバルブコア２７を直接押し下げるようにしたものである。図１４はボタンカップ１０を回転させた後、ボタンカップ１０が押し下げられ、本考案の「残留ガス除去用安全キー付きエアゾール容器のキャップ」をエアゾール容器本体２０に装着した残留ガス除去時の状態を示す。
また凸起体１６  にはガス抜け溝１７を凸起体１６の先端部に設けてあり、凸起体１６がバルブ２４のバルブコア２７を直接押え込んだ時に、残留内容物がバルブコア２７からキャップ本体１内に入り込みやすくするようにしたものでその他については図１〜図１２に示したものと変わりはない。【００１６】  以上、本考案の実施例を図１〜図１４に基づいて説明したが、本考案のポイントは考案の名称「残留ガス除去用安全キー付エアゾール容器のキャップ」からも明らかなようにエアゾール商品を使いきって捨てる時期が来たか、エアゾール製品は使い切っていないが、不用となり捨てることとなった時に、ボタンカップ１０を押し下げ可能位置に合わせることによってボタンカップ１０を押し下げることができ、それ以外の位置ではたとえボタンカップ１０に押し下げる方向に力が加わってもボタンカップ１０はキーロック状態にあり、決してボタンカップ１０は押し下げられないという所にある。この上記の点についての作用効果に関しては「００１１」項で説明済みである。
【産業上の利用可能性】
【００１７】  本考案は残留ガス除去用安全キー付エアゾール容器のキャップを製造、販売および使用する産業分野で利用することができる。上記で使用することはエアゾール製品の製造段階でエアゾール容器のキャップに本考案に係るキャップを着用することをいう。
【図面の簡単な説明】
【００１８】
【図１】  本考案の実施例を示す外観斜視図である。
【図２】  本考案の実施例を示す裏面図である。
【図３】  本考案の実施例を示す一部縦断面図である。
【図４】  本考案の実施例を示す一部縦断面図である。
【図５】  本考案の実施例に用いるキャップ本体を示す外観斜視図である。
【図６】  本考案の実施例に用いるボタンカップを示す外観斜視図である。
【図７】  本考案の実施例を示す外観斜視図である。
【図８】  本考案の実施例を示す裏面図である。
【図９】  本考案の実施例を示す一部縦断面図である。
【図１０】  本考案の実施例を示す一部縦断面図である。
【図１１】  本考案の実施例に用いるボタンカップを示す外観斜視図である。
【図１２】  本考案の実施例を示す一部縦断面図である。
【図１３】  本考案の実施例を示す一部縦断面図である。
【図１４】  本考案の実施例を示す一部縦断面図である。
【符号の説明】
【００１９】１はキャップ本体
２はキャップ本体の側壁
３はガイド壁体
４はガイド壁内側凸起
５は天面開口部
６は周状レール部
７はガイド壁切欠部
８は容器内嵌合用筒壁
９は容器嵌合用凸起
１０はボタンカップ
１１はカップ側壁
１２はカップ側壁外側凸起
１３はカップ側壁下端
１４は外側凸起最下段の溝
１５はカップ天板
１６は凸起体
１７はガス抜き溝
１８はキャップ本体の天板
１９はカップ天板凸起片
２０はエアゾール容器本体
２１は容器巻き締め下部
２２はバルブマウンテン下部
２３は容器凹部
２４はバルブ
２５はボタン
２６はボタン噴口
２７はバルブコア
２８はカップ側壁切欠部
【図１】
0003133993.tif 000003
【図２】
0003133993.tif 000004
【図３】
0003133993.tif 000005
【図４】
0003133993.tif 000006
【図５】
0003133993.tif 000007
【図６】
0003133993.tif 000008
【図７】
0003133993.tif 000009
【図８】
0003133993.tif 000010
【図９】
0003133993.tif 000011
【図１０】
0003133993.tif 000012
【図１１】
0003133993.tif 000013
【図１２】
0003133993.tif 000014
【図１３】
0003133993.tif 000015
【図１４】
0003133993.tif 000016